(57)【要約】【課題】  浴室の洗い場床においてカビの発生を抑制することができるとともに、機能水を生成する機能水生成部の異常を確実に認識できる浴室洗い場床洗浄装置を提供すること。【解決手段】  本発明は、洗い場床上に洗浄水を散水する洗浄手段と、前記洗浄手段を制御する制御部と、を備え、前記制御部は、水を散水する水散水工程を第１時間実行した後に機能水を散水する機能水散水工程を第２時間実行するように構成され、水散水工程よりも前に異常検知工程を第３時間実行し、異常であることを検知した場合に表示部に表示する。【選択図】  図７
2018130223.tif 000002
【特許請求の範囲】
【請求項１】
浴室の洗い場を構成すると共に排水口を有する洗い場床を洗浄する浴室洗い場床用洗浄装置であって、
給水源からの水を電気分解することで機能水を生成する機能水生成部と、
前記洗い場床上に給水源からの水および前記機能水を散水する洗浄手段と、
前記洗浄手段の動作開始を操作する操作部と、
前記操作部に設けられ、前記機能水生成部の異常を検知すると異常であることを表示する表示部と、
前記洗浄手段および前記機能水生成部を制御する制御部と、
を備え、
前記制御部は、
前記洗い場床に給水源からの水を散水する水散水工程を第１時間実行した後に前記洗い場床に前記機能水生成部によって生成された前記機能水を第２時間散水する機能水散水工程を実行する機能水洗浄モードを有し、
さらに、前記制御部は、前記機能水洗浄モード実行前に前記機能水生成部の異常を検知するための異常検知工程を前記第２時間よりも短い第３時間実行し、前記機能水生成部が異常であることを検知した場合に前記表示部に表示することを特徴とする浴室洗い場用洗浄装置。
【請求項２】
前記制御部は、前記機能水洗浄モードおよび前記異常検知工程を実行する際に前記洗浄手段を回動させるように構成されるとともに、前記異常検知工程中に前記洗浄手段から散水するように構成される
ことを特徴とする請求項１に記載の浴室洗い場床用洗浄装置。
【請求項３】
前記制御部は、前記操作部から前記機能水洗浄モードの実行指令を受けた際において、
前記異常検知工程にて異常であると判断すると、前記水散水工程を実行後に前記機能水洗浄モードを終了する
ことを特徴とする請求項２に記載の浴室洗い場用洗浄装置。
【請求項４】
前記異常検知工程にて検知した異常を記憶する記憶手段を更に備え、
前記制御部は、前記機能水洗浄モードとは別に、前記水散水工程のみを実行する水洗浄モードを有するとともに、前記水洗浄モードを実行時においても前記記憶手段に記憶されている異常を前記表示部に表示する
ことを特徴とする請求項１に記載の浴室洗い場床用洗浄装置。
【発明の詳細な説明】
【技術分野】
【０００１】
本発明は、浴室の洗い場床を洗浄するための浴室洗い場床用洗浄装置に関する。
【背景技術】
【０００２】
浴室の洗い場床の汚れには、人体の洗浄に使用された石鹸やシャンプーなどのかす、人体から発生した垢（タンパク質系、炭水化物系、油脂系、塩類等）などがある。
【０００３】
本件出願人は、これらの汚れを除去して浴室洗い場床におけるカビの発生を抑制するための洗浄装置をすでに開発し、特許を取得している（特許文献１）。
【０００４】
特許文献１に開示されている技術では、抗菌性金属を有する殺菌水が浴室洗い場床に吐水されて、当該浴室洗い場床面が殺菌される（制菌工程）。
【先行技術文献】
【特許文献】
【０００５】
【特許文献１】特許第４０３５６６２号公報
【発明の概要】
【発明が解決しようとする課題】
【０００６】
本件発明者は、浴室における顧客ニーズが最も高い、洗い場床のカビ発生を抑制できる技術について、長年研究してきた。
【０００７】
特許文献１に開示されている技術のうち、浴室の排水口をＡｇ殺菌する技術は、本件出願人が実際に商品化を果たした（商品名：ぬめりま洗）。しかしながら、排水口に対しては高い殺菌効果が期待できる一方で、洗い場床に対してはＡｇ殺菌水は遅行性という特性があるため、十分な効果を発揮できず、洗い場床に対するカビ対策という観点では十分ではなかった。具体的には、Ａｇ殺菌水は、即効性が低いため、カビ菌にアタックする前に洗い場床から排水口に流れてしまうという問題があった。
【０００８】
大量のＡｇ殺菌水を洗い場床に流し続ければ、カビ菌に対して長い時間アタックできるため、効果を期待できる。しかし、その場合、節水面での課題が残る。
【０００９】
顧客ニーズの高い洗い場床におけるカビ菌に対する効果を高めるべく、本件発明者は、次亜塩素酸を利用した技術の応用について検討を重ねてきた。次亜塩素酸を用いる技術は、即効性が期待できるため、カビ菌に対するアタックの点では効果が期待できたが、以下の問題を解決する必要があった。
【００１０】
まず、浴室はある程度の広さを有し、吐水距離がある程度長くなるため、次亜塩素酸の濃度の「減衰」が起こるという問題である。すなわち、散水後においてカビに対して十分なアタック効果を期待するには、当該減衰の分を考慮して、かなり高濃度の次亜塩素酸を用いる必要があると考えられていた。
【００１１】
しかしながら、水道水中に含まれる塩素成分には限りがあり、高濃度化を図ることは容易ではなかった。塩素添加などの方法も考えられたが、塩素を添加するプロセスに伴う種々の煩わしさが発生してしまって、実用的でなかった。
【００１２】
更に、高濃度化が実現できたとしても、流量を絞った状態で散水（吐水）すると、洗浄時間の長期化に伴って設備機器の腐食対策が必要になる、という問題も生じ得る。
【００１３】
本件発明者は、長年の研究の末、浴室洗い場床に対して、次亜塩素酸を含む水を洗浄に用いる場合であっても、塩素添加などの高濃度化技術を採用する必要なく、好適に浴室洗い場床のカビ発生を大幅に低減できる実用上優れた洗浄技術を見出した。
【００１４】
すなわち、本件発明者は、従来のように発生してしまった後の黒カビやピンクスライムを死滅させるという殺菌作用ではなく、浴室に発生し得る黒カビやピンクスライムに対してそれらの増殖原因となる物質を抑制ないし死滅させることが、効果的であることを知見した。発生後の事後対策技術ではなく、発生源の除去という未然対策技術によって、実用上優れた浴室の洗浄技術を見出したものである。
【００１５】
具体的には、黒カビの原因である角質を床面から除去することによって黒カビ対策を実施し、ピンクスライムの原因であるメチロバクテリウムを含まないメチロバクテリウムレス水で洗い場床を洗浄置換することによってピンクスライム抑制を実施することが、効果的であることを知見したものである。
【００１６】
なお、図３３は、角質の残存が黒カビ発生の主要因であることを説明するための実験結果を示す図である。これは、各汚れ成分を５００ｐｐｍ混合したものに、カビ胞子（クラドスポリウム）を２５００ｃｆｕ／ｍｌ付与して、２５℃、８０％Ｒｈの環境下で７日間培養したものである。図３３に示すように、角質に対する培養結果において、黒カビの顕著な発生が確認された。
【００１７】
上記のように、未然対策技術である、給水源からの水を散水し、その後、次亜塩素酸を含む機能水を散水する技術とすると、機能水を生成する過程で発生しうる異常について使用者が認識しづらいという課題が発生する。より具体的には、水の散水を開始するために使用者は操作部を押すことになるが、操作部を押した後に機能水を生成するまでに時間が空いてしまう。したがって、機能水を生成する過程で異常を検知し、異常であることを操作部に表示しても使用者が操作部から離れてしまい異常を認識できない恐れがある。
【００１８】
本発明は、以上のような知見に基づいてなされたものである。本発明の目的は、浴室の洗い場床においてカビの発生を抑制することができるとともに、機能水を生成する機能水生成部の異常を確実に認識できる浴室洗い場床洗浄装置を提供することである。
【課題を解決するための手段】
【００１９】
本発明は、浴室の洗い場を構成すると共に排水口を有する洗い場床を洗浄する浴室洗い場床用洗浄装置であって、給水源からの水を電気分解することで機能水を生成する機能水生成部と、洗い場床上に給水源からの水および機能水を散水する洗浄手段と、洗浄手段の動作開始を操作する操作部と、操作部に設けられ、機能水生成部の異常を検知すると異常であることを表示する表示部と、洗浄手段および機能水生成部を制御する制御部と、を備え、制御部は、洗い場床に給水源からの水を散水する水散水工程を第１時間実行した後に洗い場床に機能水生成部によって生成された機能水を第２時間散水する機能水散水工程を実行する機能水洗浄モードを有し、さらに、制御部は、機能水洗浄モード実行前に機能水生成部の異常を検知するための異常検知工程を前記第２時間よりも短い第３時間実行し、機能水生成部が異常であることを検知した場合に表示部に表示することを特徴とする。
【００２０】
本発明によれば、水を散水する水散水工程の後に機能水を散水する機能水散水工程を行う機能水洗浄モードを実行することで、洗い場床上の角質及びメチロバクテリウムを顕著に低減することができ、ひいては洗い場床におけるカビの発生を顕著に抑制することができる。
【００２１】
特に、機能水散水工程において、洗い場床に残存するメチロバクテリウムを含んだ残水が、メチロバクテリウムが取り除かれた洗浄水に置換されることにより、高濃度の即効性のある殺菌水を用いなくても、洗い場床上のメチロバクテリウムを顕著に低減することができる。そして、浴室で菌を殺菌するのではなく、栄養源を全て死滅させたり取り除くという訳でもなく、微量のメチロバクテリウムを死滅させれば良いだけなので、機能水散水工程において散水される機能水は従来考えられていたような高濃度の即効性のある殺菌水である必要はなく、ランニングコストを低く抑えることができる。
【００２２】
本発明は、カビやピンクスライムの発生後に殺菌するという事後対応技術ではなく、それらの発生源を未然に叩くという事前対応技術であると言える。浴室で発生するカビの種類は、黒カビとピンクスライムであるところ、本発明によれば、これらを抑制することによって、９９％以上の顧客満足度が図れる。
【００２３】
さらに、機能水洗浄モードの前に機能水生成部の異常を検知するための異常検知工程を実行することで、使用者が操作部を操作した直後に異常を検知することができ、使用者が操作部の前からいなくなる前に異常を表示部に表示させることができる。したがって、未然対策技術を実行した場合であっても、使用者は異常を確実に認識することができる。
【００２４】
本発明において好ましくは、制御部は、機能水洗浄モードおよび異常検知工程を実行する際に洗浄手段を回動させるように構成されるとともに、異常検知工程中に洗浄手段から散水するように構成されることを特徴とする。
【００２５】
この好ましい形態によれば、機能水洗浄モードおよび異常検知工程中に洗浄手段を回動させることで、簡単な構成で洗い場床全面に水および機能水を着水させることができ、黒カビとピンクスライムの発生を抑制することができる。また、異常検知工程中は、散水しないことも考えられるが、散水しない場合は、機能水が着水しない領域が発生してしまう。そこで、異常検知工程中も散水させることで、機能水が着水しない領域が発生せず、床面全体に水および機能水を着水させることができ、また、異常も検知することができる。
【００２６】
本発明において好ましくは、制御部は、操作部から機能水洗浄モードの実行指令を受けた際において、異常検知工程にて異常であると判断すると、水散水工程を実行後に機能水洗浄モードを終了することを特徴とする。
【００２７】
この好ましい形態によれば、機能水洗浄モードの実行指令を受けた場合であっても異常検知工程にて異常があると判断すると水散水工程を実行後に機能水洗浄モードを終了することで、異常があるにも関わらず機能水散水工程を実行することを防止できる。具体的には、機能水生成部に異常がある場合は、機能水を生成することができない場合や生成できた場合であっても濃度の低い機能水が生成される恐れがある。このように、機能水ではない水や濃度の低い機能水を散水することは、無駄に水を使用することになるが、異常検知後は水散水工程で終了させることで、無駄に水を散水することを防止できる。
【００２８】
本発明において好ましくは、異常検知工程にて検知した異常を記憶する記憶手段を更に備え、前記制御部は、前記機能水洗浄モードとは別に、前記水散水工程のみを実行する水洗浄モードを有するとともに、前記水洗浄モードを実行時においても前記記憶手段に記憶されている異常を前記表示部に表示することを特徴とする。
【００２９】
この好ましい形態によれば、前回実行した異常検知工程の異常を記憶する記憶手段を設け、水洗浄モードを実行する際においても記憶手段によって異常が表示部に表示させることで、早期に使用者が異常を認識することができる。
【発明の効果】
【００３０】
本発明によれば、浴室の洗い場床においてカビの発生を抑制することができるとともに、機能水を生成する機能水生成部の異常を確実に認識できる浴室洗い場床洗浄装置を提供することができる。
【図面の簡単な説明】
【００３１】
【図１】本発明の一実施形態による浴室洗い場用洗浄装置が設置される浴室の一例を表す模式的斜視図である。
【図２】図１のカウンターの近傍を拡大した模式的斜視図である。
【図３】本発明の一実施形態に係る浴室洗い場用洗浄装置を例示する模式図である。
【図４】図１のノズル部の構成の詳細を例示する正面図及び断面図である。
【図５】図１のノズル部の構成の詳細を例示する斜視図、側面図及び平面図である。
【図６】本発明の一実施形態に係る浴室洗い場用洗浄装置の制御フローを示す概略図である。
【図７】本発明の一実施形態に係る浴室洗い場用洗浄装置の制御フローを示す図である。
【発明を実施するための形態】
【００３２】
以下、添付図面を参照しながら本発明の実施形態について説明する。理解を容易にするため、各図面において同一の構成要素に対しては可能な限り同一の符号を付し、重複する説明は省略する。
【００３３】
まず、本発明の一実施形態による浴室洗い場用洗浄装置１００が設置される浴室の一例について説明する。図１は、そのような浴室の一例を表す模式的斜視図である。
【００３４】
図１に示すように、浴室洗い場用洗浄装置１００が設置される浴室５００は、概ね直方体の４つの側面に相当する配置の第１壁５４１、第２壁５４２、第３壁５４３、第４壁５４４を備えている。第２壁５４２は、第１壁５４１と対向しており、第４壁５４４は、第３壁５４３と対向している。第１壁５４１と第２壁５４２とは、それぞれ、第３壁５４３及び第４壁５４４と接続されている。
【００３５】
説明の便宜上、本明細書において、第２壁５４２（図１の奥側の壁）から第１壁５４１（図１の手前側の壁）へ向かう方向を「前方」とし、これと反対の方向を「後方」とする。また、前後方向および上下方向に対して垂直な方向を横方向とする。
【００３６】
第４壁５４４の側に浴槽５１０が設けられており、当該浴槽５１０と第３壁５４３との間に洗い場床５２０（浴室洗い場床）が設けられている。すなわち、浴槽５１０と洗い場床５２０とは、共に前後方向に延びて、横方向に並んでいる。洗い場床５２０は、第３壁５４３に加えて、第１壁５４１の一部及び第２壁５４２の一部にも接している。
【００３７】
洗い場床５２０には、排水口５２１が設けられている。排水口５２１は、洗い場床５２０の前後方向における中央付近であって、洗い場床５２０の横方向における浴槽５１０側の端に設けられている。洗い場床５２０には、排水口５２１へ向かう緩やかな（例えば１〜５°程度の）排水勾配（傾斜）が設けられている。また、洗い場床５２０の表面は、親水コーティングされている。
【００３８】
そして、洗い場床５２０が接している第２壁５４２の一部に（浴室５００の後方側に）、カウンター５３０が設けられている。浴室５００の第２壁５４２には、鏡、給水栓、シャワーホースなどが適宜設けられている。
【００３９】
そして浴室５００の外部には、浴室用洗い場床洗浄装置１００を操作するための操作部３５が設けられている。操作部３５は、浴室用洗い場床洗浄装置１００の動作状況を表示する表示部３６が設けられている。
【００４０】
図２は、カウンター５３０の近傍を拡大した模式的斜視図である。図２に示すように、カウンター５３０は、天板５３１と下カバー５３２とを有しており、洗い場床５２０から上方に離間して配置されている。カウンター５３０は、上方から見たときに、横方向に長い略矩形状の形状を有する。浴室５００の前後方向におけるカウンター５３０の幅は、８０ｃｍとなっており、浴室５００の横方向におけるカウンター５３０の幅（長さ）は、洗い場床５２０の横方向における幅と同等となっている。
【００４１】
次に、図３は、本発明の一実施形態に係る浴室洗い場用洗浄装置を例示する模式図であり、カウンター５３０を側方から見た様子を示している。図３に示すように、本実施形態に係る浴室洗い場用洗浄装置１００（以下、説明の便宜上、「洗浄装置１００」と略称する）は、カウンター５３０の下部に突出するノズル部１０ａと、カウンター５３０の内部に収容された制御部３０（後述するように散水制御部と回転制御部とを兼ねる）と、を備えている。
【００４２】
図２にも示すように、ノズル部１０ａは、カウンター５３０の下部に、洗い場床５２０から離間した位置に配置されている。本実施形態のノズル部１０ａは、カウンター５３０の横方向における中央付近に設置されている。すなわち、ノズル部１０ａは、洗い場床５２０の横方向における中央付近に設置されている。
【００４３】
図３に戻って、浴室５００の外部（例えば第２壁５４２の後方）に、給水管５１と、給湯管５２と、が設けられている。給水管５１は、図示しない水道管と接続されている。これにより、給水管５１から水道水が洗浄装置１００に供給されるようになっている。
【００４４】
カウンター５３０の内部（天板５３１と下カバー５３２との間）には、第１ストレーナ５３ａと、第１電磁弁５４ａと、第２電磁弁５４ｂと、調圧弁５５と、バキュームブレーカ５７と、逆止弁５６と、機能水生成部２０と、第２ストレーナ５３ｂと、制御部３０と、が設けられている。第１ストレーナ５３ａは、給水管５１と接続されており、第１ストレーナ５３ａの下流において、水道水の流路は２つに分岐している。  
【００４５】
第１ストレーナ５３ａの下流側の一方の流路は、第１電磁弁５４ａを介して、水道水（水の一例である）を直接的にノズル部１０ａに供給するようになっている。第１電磁弁５４ａを開くことで、水道水がノズル部１０ａに供給されるようになっている。
【００４６】
第１ストレーナ５３ａの下流側の他方の流路には、上流側から順に、第２電磁弁５４ｂ、調圧弁５５、バキュームブレーカ５７、逆止弁５６、機能水生成部２０、第２ストレーナ５３ｂが接続されており、機能水をノズル部１０ａに供給するようになっている。
【００４７】
第１電磁弁５４ａ及び第２電磁弁５４ｂは、それぞれ、水道水の流路を開く動作、及び、水道水の流路を閉じる動作、を行うようになっている。
【００４８】
調圧弁５５は、供給される水道水の圧力を制御するようになっている。これにより、後述する機能水生成部２０に供給される水道水の流量を所望に調整することができる。機能水生成部２０に供給される水道水の流量を調整することで、ノズル部１０ａに供給される機能水の流量が調整される。（もっとも、調圧弁５５の代わりに、あるいは、調圧弁５５に加えて、第２電磁弁５４ｂを用いて水道水の流量を調整してもよい。）
【００４９】
機能水生成部２０は、陽極と陰極とを有する電解室（電解槽）である。機能水生成部２０は、陽極と陰極との間に電圧を印加して、それら電極の間を流れる水道水を電気分解することで、次亜塩素酸を生成するようになっている。水道水は、塩化物イオンを含んでいるため、その塩化物イオンを電気分解することによって、次亜塩素酸が生成される。
【００５０】
そして、本実施形態の機能水生成部２０の下流部は、除去装置２０ｂとなっていて、機能水生成部２０の上流部である次亜塩素酸生成槽２０ａにおいて生成された次亜塩素酸を用いて水道水中のメチロバクテリウムを死滅させることによって、メチロバクテリウムを含まない洗浄水を生成するようになっている。機能水生成部２０の出口領域における洗浄水の塩素濃度は、０．４〜１．０ｐｐｍである（水道水の塩素濃度は、通常、０．１〜０．３ｐｐｍである）。これにより、機能水生成部２０は、流路構成を複雑にすることなく、水道水から機能水（メチロバクテリウムを含まない洗浄水の一例）を生成するようになっている。
【００５１】
機能水は、金属イオン水（例えば、銀イオン、銅イオンまたは亜鉛イオンなどの金属イオンを含む水）またはオゾンを含む水であってもよい。例えば、水道水が電気分解される際、陰極においては酸（Ｈ＋）が消費され、陰極の近傍ではｐＨが上昇する。すなわち、陰極の近傍では、アルカリ水が生成される。一方、陽極においてはアルカリ（ＯＨ−）が消費され、陽極の近傍ではｐＨが下降する。すなわち、陽極の近傍では、酸性水が生成される。機能水生成部２０における流量を変化させることで、機能水に含まれる成分の濃度を制御することができる。
【００５２】
なお、ストレーナ５３ａ、５３ｂ、電磁弁５４ａ、５４ｂ、調圧弁５５、バキュームブレーカ５７、逆止弁５６、低濃度殺菌水生成部２０及び制御部３０の少なくとも一部が、カウンター５３０の外部や浴室５００の外部に設けられることも可能である。例えば、図１に破線で示したように、制御部３０を浴室５００の外部に設けることも可能である。
【００５３】
第１電磁弁５４ａ、第２電磁弁５４ｂ、調圧弁５５及び機能水生成部２０は、散水制御部としての制御部３０によって適宜に制御されるようになっている。これにより、ノズル部１０ａからの水道水（水の一例）の散水と、ノズル部１０ａからの低濃度殺菌水の散水と、を互いに独立に制御できるようになっている。
【００５４】
具体的には、第１電磁弁５４ａ及び第２電磁弁５４ｂは、制御部３０からの信号に基づいて、水道水の流路の開閉を行う。これにより、下流側に供給される水道水の流量が制御される。また、機能水生成部２０は、制御部３０からの信号に基づいて、電解室のＯＮ／ＯＦＦ等を切り替える。このようにして制御部３０は、機能水における各種構成成分の濃度、吐水される洗浄水（水道水または機能水）の瞬間流量（単位時間当たりの流量）、吐水される洗浄水の総水量、を制御することができる。
【００５５】
本実施形態において、ノズル部１０ａの位置姿勢は、洗浄水（水道水または機能水）が散水される洗い場床５２０上の領域を変えるよう、変動することができる。具体的には、ノズル部１０ａは、電動モータ１７によって回転駆動されるようになっている。電動モータ１７は、例えばステッピングモータからなる。
【００５６】
電動モータ１７は、回転制御部としての制御部３０によって制御されるようになっている。これにより、ノズル部１０ａは、制御部３０からの信号に基づいて電動モータ１７が制御されることにより、回転角度や回転速度が変化するようになっている。また、制御部３０には、操作部３５が接続されていて、浴室利用者が適宜の操作を行うことができるようになっている。
【００５７】
図４（ａ）は、本実施形態のノズル部の構成の詳細を例示する正面図であり、図４（ｂ）は、図４（ａ）のＡ−Ａ線断面図である。本実施形態のノズル部１０ａは、図４（ａ）及び図４（ｂ）に示すように、第１貯水部１４ａと、第２貯水部１４ｂと、第１ノズル開口１１ａと、第２ノズル開口１２ａと、を有している。
【００５８】
第１ノズル開口１１ａは、第１貯水部１４ａの内部と外部とを繋ぐ孔であり、第２ノズル開口１２ａは、第２貯水部１４ｂの内部と外部とを繋ぐ孔である。第１電磁弁５４ａを通過した水道水は、第１貯水部１４ａ内に供給され、第１ノズル開口１１ａから吐水されるようになっている。機能水生成部２０によって生成された機能水は、第２貯水部１４ｂ内に供給され、第２ノズル開口１２ａから吐水されるようになっている。
【００５９】
もっとも、貯水部及びノズル開口は、水道水の散水と機能水の散水とで共用されるようになっていてもよい。そのような構成が採用される場合、ノズル部１０ａの構成は簡単になるが、水道水の散水と機能水の散水との両方を同時に実施することはできない。
【００６０】
図５（ａ）は、第２ノズル開口１２ａから洗浄水として機能水が吐水される様子を表す斜視図であり、図５（ｂ）は、第１ノズル開口１１ａから洗浄水として水道水が吐水される様子を表す斜視図である。
【００６１】
図５（ｃ）、図５（ｄ）は、それぞれ、図５（ａ）、図５（ｂ）に示した状態を、図中のＸ方向に沿って見た側面図である。このように、洗浄水は、Ｘ方向に対して垂直なＺ方向に広がる扇状又は三角形状となって、第１ノズル開口１１ａ及び第２ノズル開口１２ａのそれぞれから吐水される。
【００６２】
図５（ｅ）、図５（ｆ）は、それぞれ、図５（ａ）、図５（ｂ）に示した状態をＺ方向に沿って見た平面図である。Ｚ方向に沿って見たときの吐水された洗浄水の広がりは、Ｘ方向に沿って見たときの吐水された洗浄水の広がりよりも狭い。例えば、第１ノズル開口１１ａ及び第２ノズル開口１２ａは、それぞれ、Ｚ方向に沿って見たときに洗浄水をライン状に吐水する。第１ノズル開口１１ａ及び第２ノズル開口１２ａの形状によって、吐水される洗浄水の広がり方を調整できる。
【００６３】
また、ノズル部１０ａは、Ｚ方向に延びる軸１０ｘを有する。この例では、ノズル部１０ａは、軸１０ｘが鉛直方向（上下方向）と略平行になるように配置されている。ノズル部１０ａは、電動モータ１７の駆動力を受けて、軸１０ｘを中心として回転することができる。ノズル部１０ａは、軸１０ｘと交差する方向に洗浄水を吐水するため、ノズル部１０ａの回転によって洗浄水を吐水する領域を変えることができる。
【００６４】
なお、本明細書において「吐水方向」とは、軸１０ｘに沿って見たときに、洗浄水が吐水される方向をいうものとする。すなわち、この例では、「吐水方向」は、上方から見たときに洗浄水が吐水される方向である。上方から見たとき、洗浄水が複数の方向に広がって吐水される場合には、複数の方向の中央を「吐水方向」とすることができる。あるいは、上から見たときに、ノズル開口１１ａ、１２ａを中心に扇状または三角形状に広がって洗浄水が吐水される場合、その扇状または三角形状の範囲を概略二等分する方向を「吐水方向」とすることができる。
【００６５】
次に、以上のような構成からなる本実施形態の洗浄装置１００の動作例（作用）について説明する。図６は、本実施形態の洗浄装置１００の制御フローを示す概略図である。
【００６６】
本実施形態の洗浄装置１００の制御部３０は、機能水生成部２０への通電異常を判別する異常検知工程Ｓ０を実施するようになっている。
【００６７】
本実施形態の洗浄装置１００の制御部３０は、散水制御部として、ノズル部１０ａから洗い場床５２０上に水道水（水の一例）を散水させることによって、洗い場床５２０上の角質を水道水と一緒に排水口５２１に流す水散水工程Ｓ１を実施するようになっている。ここで、本実施形態の制御部３０は、回転制御部として、水散水工程Ｓ１の実施の際に、電動モータ１７を制御して、ノズル部１０ａが回転している間に連続的に当該ノズル部１０ａから洗い場床５２０上に水道水を散水させるようになっている。
【００６８】
そして、本実施形態の制御部３０は、散水制御部として、水洗浄工程Ｓ１の後に、ノズル部１０ａから浴室洗い場床５２０上に、メチロバクテリウムを含まない洗浄水の一例である機能水を散水させることによって、洗い場床５２０上の水道水を排水口５２１に流すことで、洗い場床５２０上の水道水を機能水に置換する機能水散水工程Ｓ３を実施するようになっている。ここで、本実施形態の制御部３０は、回転制御部として、機能水散水工程Ｓ３の実施の際においても、電動モータ１７を制御して、ノズル部１０ａが回転している間に連続的に当該ノズル部１０ａから洗い場床５２０上に機能水を散水させるようになっている。
【００６９】
次に、異常検知工程と水散水工程および機能水散水工程について説明する。図７は、本発明の一実施形態に係る浴室洗い場用洗浄装置１の制御フローを示す図である。
【００７０】
使用者によって操作部３５（図１参照）が操作されると、浴室用洗い場床洗浄装置１が動作を開始する（ステップＳ１００）。浴室用洗い場床洗浄装置１が動作を開始するタイミングにて、後述する記憶手段が記憶している状態を「通常」に設定する。
【００７１】
次に制御部３０は、異常検知工程に進み、動作を開始してから第２時間よりも短い第３時間の間異常検知工程を実行する（ステップＳ１０１）。異常検知工程が第３時間中であると判断すると、「通電状態」が異常であるかを判断する（ステップＳ１０２）。動作開始から最初のステップＳ１０２での判断は、動作開始時に記憶手段が記憶している状態を「通常」に設定されているため、機能水生成部２０へ通電を行う（ステップＳ１０３）。
【００７２】
次に制御部３０は、ノズル１０ａから機能水および水の吐水を開始する（ステップＳ１０４）。その後制御部３０は、ステップＳ１０３にて機能性生成部２０に通電を行った際に通電に異常が無いかを判断する（ステップＳ１０６）。ステップＳ１０６にて通電異常を検知しなかった場合は、表示部３６に「機能水洗浄モード」であることを表示する（ステップＳ１０７）。ステップＳ１０６にて通電異常を検知した場合は、表示部３６に「通電異常」であることを表示する（ステップＳ１０８）。その後、制御部３０は、記憶手段に「通電状態」が「異常」であることを記憶する（ステップＳ１０９）。
【００７３】
次に制御部３０は、ステップＳ１０１に戻り、第３時間中であれば、ステップＳ１０２へ進む。ステップＳ１０９にて「通電状態」が「異常」と記憶している場合は、ステップＳ１０２から機能水生成部２０の通電をＯＦＦする処理を行う（ステップＳ１０５）。
【００７４】
制御部３０は、ステップＳ１０１からステップＳ１０９のステップを第３時間の間継続して行う。この工程が異常検知工程である。
【００７５】
次に、制御部３０は、第３時間経過するとステップＳ１０１にて第３時間の間の異常検知工程ではないと判断されると第１時間の間水散水工程を実行する（ステップＳ２０１）。ステップＳ２０１にて第１時間の間と判断すると、機能水生成部２０への通電をＯＦＦする（ステップＳ２０２）。次に、制御部３０は、ノズル１０ａから吐水を開始する処理を行う（ステップＳ２０３）。ステップＳ２０３にて吐水される液体の種類は、ステップＳ２０２にて機能水生成部２０への通電をＯＦＦしているため、給水源から供給される水となる。
【００７６】
その後、制御部３０は、「通電状態」が異常であるかを判断する（ステップＳ２０４）。ステップＳ２０４では、ステップＳ１０６にて通電異常を検知しなかった場合すなわち、記憶手段に異常が記憶されていない場合は、表示部３６に「機能水洗浄モード」であることを表示する（ステップＳ２０５）。一方でステップＳ１０６にて通電異常を検知した場合は、ステップＳ１０９で記憶手段が「異常」を記憶しているため、表示部３６に「通電異常」であることを表示する（ステップＳ２０６）。
【００７７】
制御部３０は、ステップＳ２０１からステップＳ２０６のステップを第１時間の間継続して行う。この工程が水散水工程である。
【００７８】
次に、制御部３０は、第１時間経過するとステップＳ２０１にて第１時間の間の水散水工程ではないと判断されると「通電状態」が通常であるかを判断する（ステップＳ３０１）。初回のステップＳ３０１では、ステップＳ１０６にて通電異常を検知していないすなわち「通常」と判断した場合は、第２時間の間機能水散水工程を実行する（ステップＳ３０２）。
【００７９】
次に制御部３０は、第２時間の間の機能水散水工程中であるかを判断し（ステップＳ３０２）、第２時間中であれば、機能水生成部２０への通電をＯＮする処理を実行する（ステップＳ３０３）。その後、制御部３０は、ノズル１０ａから吐水を開始する処理を行う（ステップＳ３０４）。次に、制御部３０は、通電が異常であるかを検知する（ステップＳ３０５）。
【００８０】
次に制御部３０は、ステップＳ３０５にて通電が異常ではないと判断すると、表示部３６に「機能水洗浄モード」であることを表示する（ステップＳ３０６）。一方で、ステップＳ３０５にて通電が異常であると判断すると、表示部３６に通電が「異常」であることを表示する（ステップＳ３０７）。その後、制御部３０は、記憶手段に「通電状態」が「異常」であることを記憶する（ステップＳ３０８）。
【００８１】
次に、制御部３０は、ステップＳ１０１、ステップＳ２０１の判断を経て、ステップＳ３０５で通電に異常が無いと判断すると、第２の時間の間ステップＳ３０１からステップＳ３０６を継続して実行する。このステップＳ３０１からステップ３０６が機能水散水工程である。
【００８２】
次に、制御部３０は、ステップＳ３０８にて記憶手段が記憶している状態を基に再度ステップＳ３０１を実行する。ステップＳ３０８で「異常」と記憶している場合は、機能水生成部２０への通電をＯＦＦする処理を行う（ステップＳ４０１）。その後制御部３０は、ノズル１０ａからの吐水を止水する処理を行う（ステップＳ４０２）。ステップＳ４０２にて止水処理が終了すると表示部３６に止水中であることを表示する。
【００８３】
上述したように、制御部３０は異常検知工程を第３時間実行後に、水散水工程を第１時間実行し、その後機能水散水工程を第２時間実行するように処理される。このように、制御部３０は、水散水工程後に機能水散水工程を実行する機能水洗浄モードを有している。
また、図示しないが、制御部３０は水散水工程のみを実行する水洗浄モードを有している。水洗浄モードは、第１時間の間水を吐水し、第１時間終了すると止水するモードである。
【００８４】
上述したように、機能水洗浄モードの前に機能水生成部２０の異常を検知するための異常検知工程を実行することで、使用者が操作部３５を操作した直後に異常を検知することができ、使用者が操作部３５の前からいなくなる前に異常を表示部３６に表示させることができる。したがって、未然対策技術を実行した場合であっても、使用者は異常を確実に認識することができる。なお、異常を検出した際には、表示部３６に表示させることについて説明したが、必ずしも表示だけでなく、音などで報知してもよい。
【００８５】
また、制御部３０は、機能水洗浄モードおよび異常検知工程中にノズル１０ａを回動させることで、簡単な構成で洗い場床５２０全面に水および機能水を着水させることができ、黒カビとピンクスライムの発生を抑制することができる。また、異常検知工程中は、散水しないことも考えられるが、散水しない場合は、機能水が着水しない領域が発生してしまう。そこで、異常検知工程中も散水させることで、機能水が着水しない領域が発生せず、粗い場床５２０面全体に水および機能水を着水させることができ、また、異常も検知することができる。
【００８６】
また、制御部３０は、機能水洗浄モードの実行指令を受けた場合であっても異常検知工程にて異常があると判断すると水散水工程を実行後に機能水洗浄モードを終了することで、異常があるにも関わらず機能水散水工程を実行することを防止できる。具体的には、機能水生成部２０に異常がある場合は、機能水を生成することができない場合や生成できた場合であっても濃度の低い機能水が生成される恐れがある。このように、機能水ではない水や濃度の低い機能水を散水することは、無駄に水を使用することになるが、異常検知後は水散水工程で終了させることで、無駄に水を散水することを防止できる。
【符号の説明】
【００８７】
１０ａ  ノズル部
１１ａ  第１ノズル開口
１２ａ  第２ノズル開口
１３  貯水部
１４ａ  第１貯水部
１４ｂ  第２の貯水部
１７  モータ
２０  機能水成部
３０  制御部（散水制御部、回転制御部）
３５  操作部
３６  表示部
５１  給水管
５２  給湯管
５３ａ、５３ｂ  ストレーナ
５４ａ  第１電磁弁
５４ｂ  第２電磁弁
５５  調圧弁
５６  逆止弁
５７  バキュームブレーカ
１００  洗浄装置
５００  浴室
５１０  浴槽
５２０  洗い場床
５２１  排水口
５３０  カウンター
５３１  天板
５３２  下カバー
５４１〜５４４  第１壁〜第４壁
【図１】
2018130223.tif 000003
【図２】
2018130223.tif 000004
【図３】
2018130223.tif 000005
【図４】
2018130223.tif 000006
【図５】
2018130223.tif 000007
【図６】
2018130223.tif 000008
【図７】
2018130223.tif 000009